(57)【要約】【課題】建物の外壁面に固定した格納箱内に伸縮式の避難用梯子を収納して成る壁面設置型の避難梯子装置に於いて、開放された格納箱が避難経路を塞ぐことがなく、伸長垂下状態になった避難用梯子の上端部周囲が完全に開放された状態になり、避難者が避難を円滑且つスムースに行えるようにする。【解決手段】建物の外壁面Ｗに固定された開閉可能な格納箱１と、格納箱１内に収納され、使用時に建物の外壁面Ｗに沿って伸長垂下状態になる避難用梯子２とを備えた壁面設置型の避難梯子装置であって、前記格納箱１は、建物の外壁面Ｗに固定され、避難用梯子２が収納される少なくとも前面が開放された展開可能な箱状の本体３と、本体３に着脱自在に取り付けられ、本体３の開口を開閉可能に覆う蓋体４とから成り、蓋体４を本体３から取り外したときには箱状の本体３が建物の外壁面Ｗに沿って展開されるように構成する。【選択図】　　　図５
2004113372.tif 000002
【特許請求の範囲】
【請求項１】
建物の外壁面（Ｗ）に固定された開閉可能な格納箱（１）と、格納箱（１）内に収納され、使用時に建物の外壁面（Ｗ）に沿って伸長垂下状態になる避難用梯子（２）とを備えた壁面設置型の避難梯子装置であって、前記格納箱（１）は、建物の外壁面（Ｗ）に固定され、避難用梯子（２）が収納される少なくとも前面が開放された展開可能な箱状の本体（３）と、本体（３）に着脱自在に取り付けられ、本体（３）の開口を開閉可能に覆う蓋体（４）とから成り、蓋体（４）を本体（３）から取り外したときに箱状の本体（３）が建物の外壁面（Ｗ）に沿って展開されるように構成されていることを特徴とする避難梯子装置。
【請求項２】
箱状の本体（３）は、建物の外壁面（Ｗ）に固定された後壁（３ａ）と、後壁（３ａ）の両側縁部に水平回動自在に連結された左右の側壁（３ｂ）と、左右の側壁（３ｂ）若しくは一方の側壁（３ｂ）の下端縁部に上下回動自在に連結された底壁（３ｃ）とにより前面及び上面が開放された箱状に形成され、又、蓋体（４）は、本体（３）の左右の側壁（３ｂ）に上下方向へスライド自在且つ着脱自在に係止され、本体（３）の前面側開口を開閉可能に覆う前壁（４ａ）と、前壁（４ａ）の上端縁部に連設され、本体（３）の上面側開口を開閉可能に覆う天井壁（４ｂ）とにより側面形状略逆Ｌ字形に形成されており、前記本体（３）は、蓋体（４）が本体（３）に取り付けられているときには左右の側壁（３ｂ）及び底壁（３ｃ）が後壁（３ａ）に対して垂直姿勢となる閉鎖位置を取り、又、蓋体（４）が本体（３）から取り外されたときには左右の側壁（３ｂ）及び底壁（３ｃ）が建物の外壁面（Ｗ）に沿う姿勢となる開放位置を取るように構成されていることを特徴とする請求項１に記載の避難梯子装置。
【請求項３】
本体（３）の後壁（３ａ）と左右の側壁（３ｂ）との間に、左右の側壁（３ｂ）を建物の外壁面（Ｗ）に沿うように附勢保持する附勢手段（５）を夫々設けたことを特徴とする請求項２に記載の避難梯子装置。
【請求項４】
格納箱（１）に、蓋体（４）の取り外し及び取り付けに連動して底壁（３ｃ）を開閉する開閉機構（７）を設け、前記開閉機構（７）は、蓋体（４）が本体（３）に取り付けられて本体（３）の開口を覆っているときには底壁（３ｃ）を閉じた状態に保持し、蓋体（４）が本体（３）から取り外されたときには底壁（３ｃ）を自重により開放し、蓋体（４）が本体（３）に取り付けられる際には開いている底壁（３ｃ）を閉じる方向へ回動させるように構成されていることを特徴とする請求項２又は請求項３に記載の避難梯子装置。
【発明の詳細な説明】
【０００１】
【発明の属する技術分野】
本発明は、主として二階建て又は三階建ての一般住宅家屋やマンション、小規模ビル等の比較的背の低い建物の外壁高所に設置され、火災等の緊急避難時に建物の高所から地上へ避難する際に使用する避難梯子装置に係り、特に、建物の窓近傍の外壁面や屋上の外壁面、ベランダの外壁面、ベランダの手摺り等に固定した開閉可能な格納箱内に伸縮式の避難用梯子を収納して成る壁面設置型の避難梯子装置に関するものである。
【０００２】
【従来の技術】
一般に、二階建て又は三階建ての一般住宅家屋やマンション等の比較的背の低い建物には、火災等の緊急避難時に建物の高所から地上へ避難することができる各種構造の避難器具が設置されている。
【０００３】
従来、この種の避難器具としては、例えば図示していないが、対向状に配置された左右のワイヤロープや繊維ロープ等に複数本の横桟を一定間隔毎に取り付け、各横桟に後方へ突出する突子を取り付けたロープ式の避難用梯子が知られている。この避難用梯子は、伸長垂下状態になったときに各突子が建物の外壁面に当接して避難時に於ける避難用梯子の前後方向及び左右方向への揺動を防止するようになっているため、避難者が安全且つ円滑に避難できるようになっている。
【０００４】
ところで、前記避難用梯子は、不使用時には室内やベランダ等に設置した格納箱内等に収納されているため、火災等の緊急避難時に避難者が避難用梯子を収納場所から取り出し、これを使用する場所まで持ち運んでセットしなければならなかった。特に、老人や子供では、避難用梯子を所定の位置まで持ち運んでセットするまでにかなりの時間がかかったり、或いはセットの仕方が判らなかったりする虞があった。その結果、この避難用梯子では、素早い避難を行えず、取扱性等に劣ると云う問題があった。
又、建物の構造や避難用梯子をセットする場所によっては、建物の外壁面を利用することができず、伸長垂下状態になった避難用梯子の突子が建物の外壁面に当接しないことがある。この場合、避難用梯子は、伸長垂下状態になったときに宙吊りの状態になるため、避難者が避難用梯子を伝って降下する際に避難用梯子が前後方向や左右方向へ大きく揺動し、避難者が安全且つ円滑に避難できないと云う難点があった。
【０００５】
そこで、本願発明者等は、これらの問題を解決するため、持ち運びが不要で簡単に操作でき、然も、迅速に避難することができる壁面設置型の避難梯子装置を開発した。
即ち、この避難梯子装置は、図１２乃至図１４に示す如く、建物の窓近くの外壁面Ｗや屋上の外壁面Ｗ、ベランダの外壁面Ｗ、ベランダの手摺り等に設置されており、建物の外壁面Ｗに固定された開閉可能な格納箱３０と、格納箱３０内に収納された伸縮式の避難用梯子３１とから構成されている。
【０００６】
具体的には、格納箱３０は、図１２乃至図１４に示す如く、後壁３０ａと、後壁３０ａの側縁部に蝶番３０ｄを介して水平回動自在に取り付けられ、後壁３０ａの前面側に取り付けられた避難用梯子３１を覆う後面が開放された箱状のカバー体３０ｂと、後壁３０ａとカバー体３０ｂとの間に設けられ、カバー体３０ｂを閉じた状態に保持するパッチン錠３０ｃ等から構成されている。この格納箱３０は、複数本のアンカーボルト３２ａ及び袋ナット３２ｂ等から成る吊り下げ金具３２により建物の窓近傍の外壁面Ｗに固定されており、カバー体３０ｂが前後方向へ開閉可能となっている。
【０００７】
一方、避難用梯子３１は、図１２及び図１３に示す如く、横断面が同一の形状及び大きさに形成された複数枚の縦長板状の柱材３３ａを前後方向へ重ね合わせて長手方向へ摺動自在とした左右の伸縮柱体３３と、左右の伸縮柱体３３間に長手方向に沿って一定間隔毎に配設され、両端部が対向する左右の柱材３３ａの上端部に夫々取り付けられた複数本の横桟３４と、左右の伸縮柱体３３の各柱材３３ａを長手方向へ伸縮自在に連結すると共に、伸長状態になった伸縮柱体３３の各柱材３３ａが長手方向へ抜けるのを防止するガイド孔（図示省略）及びボルト・ナットから成る連結機構３５等から構成されている。この避難用梯子３１は、格納箱３０の後壁３０ａの前面に略鉛直姿勢で取り付けられており、不使用時には短縮状態で格納箱内に収納されていると共に、使用時には自重により伸長垂下状態になるようになっている。
又、避難用梯子３１の上端部には、避難用梯子３１の伸長降下速度を緩和すると共に、伸長状態の避難用梯子３１を短縮状態にする緩降・収納装置３６が設けられている。
【０００８】
而して、前記避難梯子装置によれば、火災等の緊急避難時に格納箱３０のパッチン錠３０ｃを外してカバー体３０ｂを開け、階下の安全を確認してから緩降・収納装置３６の操作レバー３６ａを押して避難用梯子３１の短縮保持状態を解除すると、避難用梯子３１が自重により伸長降下して建物の外壁面Ｗに沿って伸長垂下状態となる。
避難用梯子３１が建物の外壁面Ｗに沿って完全に伸長垂下状態になったら、避難者は避難用梯子３１の横桟３４に手足を掛け、横桟３４を握りながら避難用梯子３１を伝って高所から地上へ避難する。
【０００９】
この避難梯子装置は、予め建物の外壁面Ｗに設置された定置式であり、然も、格納箱３０を開放して緩降・収納装置３６の操作レバー３６ａを押すだけで避難用梯子３１が伸長する構造となっているため、持ち運びが不要で操作も簡単であり、避難者が迅速に避難することができる等の利点がある。
又、避難用梯子３１は、使用時に一対の伸縮柱体３３が伸長垂下状態になって建物の壁面に代わる支持部材となるため、伸縮柱体３３によって伸長時に於ける避難用梯子３１の前後左右方向の撓みや揺動が防止されて剛体化し、避難者が避難用梯子３１を伝って安全且つ円滑に避難することができる等の利点がある。
【００１０】
【発明が解決しようとする課題】
然し乍ら、上述した避難梯子装置に於いては、避難用梯子３１を収納する格納箱３０のカバー体３０ｂが箱状に形成され、後壁３０ａの側縁部に水平方向へ回動自在に取り付けられているため、カバー体３０ｂを開けたときにカバー体３０ｂの角部が建物の外壁面Ｗに衝突し、カバー体３０ｂがあまり開かない構造となっている（図１４参照）。即ち、従来の避難梯子装置に於いては、カバー体３０ｂを開けたときにカバー体３０ｂが建物の外壁面Ｗに対して略垂直姿勢の状態となるため、伸長垂下状態になった避難用梯子３１の上端部周囲が完全に開放された状態にならない。その結果、避難者が室内から避難用梯子３１に乗り移る際や避難者が避難用梯子３１を伝って降下する際にカバー体３０ｂが邪魔になったり、或いはカバー体３０ｂにより視界が遮られたりすることがあり、避難者が避難を円滑且つスムースに行えないと云う問題があった。
特に、強風の際にはカバー体３０ｂが風にあおられて閉じる方向へ回動することもあり、この場合には避難経路の一部が塞がれた格好になるため、前記問題がより助長されることになる。
【００１１】
本発明は、このような問題点に鑑みて為されたものであり、その目的は開放された格納箱が避難経路を塞ぐことがなく、伸長垂下状態になった避難用梯子の上端部周囲が完全に開放された状態になり、避難者が避難を円滑且つスムースに行えるようにした避難梯子装置を提供することにある。
【００１２】
【課題を解決するための手段】
上記目的を達成する為に、本発明の請求項１の発明は、建物の外壁面に固定された開閉可能な格納箱と、格納箱内に収納され、使用時に建物の外壁面に沿って伸長垂下状態になる避難用梯子とを備えた壁面設置型の避難梯子装置であって、前記格納箱は、建物の外壁面に固定され、避難用梯子が収納される少なくとも前面が開放された展開可能な箱状の本体と、本体に着脱自在に取り付けられ、本体の開口を開閉可能に覆う蓋体とから成り、蓋体を本体から取り外したときには箱状の本体が建物の外壁面に沿って展開されるように構成されていることに特徴がある。
【００１３】
本発明の請求項２の発明は、箱状の本体が、建物の外壁面に固定された後壁と、後壁の両側縁部に水平回動自在に連結された左右の側壁と、左右の側壁若しくは一方の側壁の下端縁部に上下回動自在に連結された底壁とにより前面及び上面が開放された箱状に形成され、又、蓋体が、本体の左右の側壁に上下方向へスライド自在且つ着脱自在に係止され、本体の前面側開口を開閉可能に覆う前壁と、前壁の上端縁部に連設され、本体の上面側開口を開閉可能に覆う天井壁とにより側面形状略逆Ｌ字形に形成されており、前記本体は、蓋体が本体に取り付けられているときには左右の側壁及び底壁が後壁に対して垂直姿勢となる閉鎖位置を取り、又、蓋体が本体から取り外されたときには左右の側壁及び底壁が建物の外壁面に沿う姿勢となる開放位置を取るように構成されていることに特徴がある。
【００１４】
本発明の請求項３の発明は、本体の後壁と左右の側壁との間に、左右の側壁を建物の外壁面に沿うように附勢保持する附勢手段を夫々設けたことに特徴がある。
【００１５】
本発明の請求項４の発明は、格納箱に、本体からの蓋体の取り外し及び本体への蓋体の取り付けに連動して底壁を開閉する開閉機構を設け、前記開閉機構は、蓋体が本体に取り付けられて本体の開口を覆っているときには底壁を閉じた状態に保持し、蓋体が本体から取り外されたときには底壁を自重により開放し、蓋体が本体に取り付けられる際には開いている底壁を閉じる方向へ回動させるように構成されていることに特徴がある。
【００１６】
【発明の実施の形態】
以下、本発明の実施の形態を図面に基づいて詳細に説明する。
図１は本発明の実施の形態に係る避難梯子装置を示し、当該避難梯子装置は、二階建て又は三階建ての一般住宅家屋やマンション等の比較的背の低い建物の外壁高所に設置されており、建物の窓近傍の外壁面Ｗや屋上の外壁面Ｗ、ベランダの外壁面Ｗ、ベランダの手摺り等に固定された格納箱１と、格納箱１内に短縮状態で収納されて使用時に建物の外壁面Ｗに沿って伸長垂下状態となる伸縮式の避難用梯子２とから構成されている。この実施の形態に於いては、避難梯子装置は、建物の窓の下側の外壁面Ｗに設置されている。
【００１７】
前記格納箱１は、図１及び図２に示す如く、建物の外壁面Ｗに固定され、避難用梯子２が収納される前面及び上面が開放されたステンレス鋼板製の展開可能な箱状の本体３と、本体３に着脱自在に取り付けられ、本体３の前面側開口及び上面側開口を開閉可能に覆うステンレス鋼板製の蓋体４とから成り、蓋体４を本体３から取り外したときに箱状の本体３が建物の外壁面Ｗに沿って展開されるように構成されている。
【００１８】
具体的には、本体３は、図３乃至図７に示す如く、建物の外壁面Ｗに固定される矩形状の後壁３ａと、後壁３ａの両側縁部にスプリング蝶番５を介して水平回動自在に連結された左右の側壁３ｂと、左右の側壁３ｂの下端縁部に夫々平蝶番６を介して上下回動自在に連結された左右の底壁３ｃとから成り、蓋体４が本体３に取り付けられているときには左右の側壁３ｂ及び底壁３ｃが後壁３ａに対して垂直姿勢となる閉鎖位置（本体３が箱状になっている状態）を取り、又、蓋体４が本体３から取り外されたときには左右の側壁３ｂ及び底壁３ｃが建物の外壁面Ｗに沿う姿勢となる開放位置（本体３が展開された状態）を取るように構成されている。
又、本体３の後壁３ａと左右の側壁３ｂとの間には、左右の側壁３ｂを建物の外壁面Ｗに沿うように附勢保持する附勢手段５が夫々設けられている。この実施の形態に於いては、附勢手段５は、後壁３ａと左右の側壁３ｂとを水平回動自在に連結するスプリング蝶番５から成る。前記スプリング蝶番５は、後壁３ａに対して垂直姿勢にある左右の側壁３ｂを建物の外壁面Ｗに沿うように附勢保持するコイルスプリング５ａを備えており、従来公知のものと同様構造に構成されている。
更に、左右の側壁３ｂの前側縁部の鉛直部分には、蓋体４が上下方向へスライド自在且つ着脱自在に係止される横断面形状がＬ字状のガイド片３ｄが折り曲げ形成され、又、左右の側壁３ｂの前側縁部の傾斜部分及び左右の側壁３ｂの上端縁部には、蓋体４を本体３に取り付けたときに蓋体４に密着して本体３内への雨水や埃等の進入を防止する帯状のシール片３ｅが外方へ垂直に折り曲げ形成されている。
尚、左右の底壁３ｃの長さは、左右の底壁３ｃが後壁３ａ及び左右の側壁３ｂに対して垂直姿勢となったとき（底壁３ｃが閉じたとき）に少しだけ重なり合うように設定されている。
【００１９】
一方、蓋体４は、図３乃至図５に示す如く、左右の側壁３ｂに形成したガイド片３ｄに上下方向へスライド自在且つ着脱自在に係止され、本体３の前面側開口を開閉可能に覆う略くの字状に折り曲げ形成された前壁４ａと、前壁４ａの上端縁部に連設され、本体３の上面側開口を開閉可能に覆う天井壁４ｂと、天井壁４ｂの上面に固定した取っ手４ｃとから成り、側面形状が略逆Ｌ字形に形成されている。
更に、前壁４ａの両側縁部の鉛直部分には、本体３のガイド片３ｄに上下方向へスライド自在且つ着脱自在に係止される横断面形状がＬ字状の係止片４ｄが折り曲げ形成され、又、前壁４ａの両側縁部の傾斜部分及び天井壁４ｂの外周縁部には、蓋体４を本体３に取り付けたときに本体３の左右の側壁３ｂの上端縁部及び後壁３ａの上端縁部を覆って本体３内への雨水や埃等の進入を防止する帯状の折り曲げ片４ｅが本体３側へ垂直に折り曲げ形成されている。
【００２０】
そして、格納箱１には、図３に示す如く、本体３からの蓋体４の取り外し及び本体３への蓋体４の取り付けに連動して底壁３ｃを開閉する開閉機構７が設けられている。この開閉機構７は、蓋体４が本体３に取り付けられて本体３の前面側開口及び上面側開口を完全に覆っているときには底壁３ｃを閉じた状態に保持し、又、蓋体４が本体３から取り外されたときには底壁３ｃを自重により開放し、更に、蓋体４が本体３に取り付けられる際には開いている底壁３ｃを閉じる方向へ回動させるように構成されている。
【００２１】
具体的には、開閉機構７は、図８乃至図１０に示す如く、左右の側壁３ｂのガイド片３ｄ近傍に形成したガイド穴３ｆに夫々挿通され、一端部が底壁３ｃの先端部側に連結された適宜長さの左右のワイヤロープ７ａと、各ワイヤロープ７ａの他端部に夫々連結され、左右の側壁３ｂに形成したガイド片３ｄ内に上下方向へ摺動自在に収納された球状のワイヤ重し７ｂと、蓋体４に形成した係止片４ｄの内方に設けられ、蓋体４の係止片４ｄを側壁３ｂのガイド片３ｄに係止させたときにワイヤ重し７ｂに係止されてワイヤ重し７ｂを押し下げるワイヤ重し押し７ｃと、左右の側壁３ｂの内面で且つガイド穴３ｆの近傍に夫々設けられ、ワイヤロープ７ａがガイド穴３ｆ内を円滑且つスムースに移動できるようにワイヤロープ７ａを案内する円柱状のガイド体７ｄ（丸鋼）とから成り、蓋体４に設けたワイヤ重し押し７ｃでワイヤ重し７ｂの位置を変えることによって左右の底壁３ｃが開閉されるようになっている。
【００２２】
而して、前記開閉機構７によれば、蓋体４が本体３に取り付けられているとき（蓋体４の係止片４ｄが本体３のガイド片３ｄに係止されて蓋体４により本体３の前面側開口及び上面側開口が完全に閉じられているとき）には、蓋体４に設けたワイヤ重し押し７ｃによりワイヤ重し７ｂが完全に押し下げられた状態になっており、これに伴ってワイヤロープ７ａが底壁３ｃを閉じる方向へ引っ張られて左右の底壁３ｃが閉じた状態に保持され、又、蓋体４を上方へ持ち上げて本体３から取り外すと、ワイヤ重し７ｂの押圧状態及びワイヤロープ７ａの引っ張り状態が解除されると共に、これに伴って左右の底壁３ｃが自重により下方向へ回動して開放され、更に、本体３の左右の側壁３ｂをスプリング蝶番５のコイルスプリング５ａの附勢力に抗して後壁３ａに対して垂直姿勢に保持し、この状態で蓋体４の係止片４ｄの下端部側を本体３のガイド片３ｄの上端部側に係止させ、蓋体４を本体３に対して押し下げて本体３へ取り付けて行くと、ワイヤ重し７ｂがワイヤ重し押し７ｃにより押し下げられ、これに伴ってワイヤロープ７ａが底壁３ｃを閉じる方向へ引っ張られて開いている左右の底壁３ｃが閉じる方向へ回動されるようになっている。
尚、ガイド穴３ｆの位置、ワイヤロープ７ａの長さ、ワイヤ重し押し７ｃの取り付け位置等は、蓋体４が本体３の前面側開口及び上面側開口を完全に閉塞しているときには左右の底壁３ｃが閉じた状態に保持され、蓋体４が本体３に対して上方へ一定量以上（例えば４０ｃｍ以上）持ち上げられたらワイヤ重し７ｂとワイヤ重し押し７ｃとの係止が外れるように夫々設定されている。
又、左右の側壁３ｂに形成したガイド穴３ｆの位置や左右のワイヤロープ７ａの長さ等は、左右の底壁３ｃが閉じる際にタイミングが若干ずれるように設定されている。これによって、左右の側壁３ｂは、重なり合うようにして閉じることになる。
【００２３】
そして、前記格納箱１は、図１に示す如く、建物の窓近傍の外壁面Ｗ（窓の下の外壁面Ｗ）に吊り下げ金具８により取り付け固定されている。この吊り下げ金具８は、当て板８ａ、アンカーボルト８ｂ及び袋ナット８ｃから成り、建物の内壁面に当て板８ａを、又、格納箱１の本体３の背面側を建物の外壁面Ｗに夫々押し当て、アンカーボルト８ｂを格納箱１の本体３の後壁３ａ、建物の外壁及び当て板８ａを貫通させ、アンカーボルト８ｂの先端部に袋ナット８ｃを螺着することによって、格納箱１を建物の外壁面Ｗに取り付け固定することができる。
【００２４】
尚、図１及び図３に於いて、９は一方の側壁３ｂの内面に設けられ、緩降・収納装置２５のハンドル（図示省略）を収納するためのハンドル収納ボックス、１０は後壁３ａの背面側に設けられた補強用のＣ型チャンネル材、１１は後壁３ａの前面側に設けられ、避難用梯子２を本体３内に若干傾斜する姿勢で取り付けるためのＣ型チャンネル材、１２は建物の窓近傍の内壁面に設けられ、避難用梯子２への乗り移りを容易に行えるようにした収納式のステップである。
【００２５】
前記避難用梯子２は、左右の伸縮柱体１３、複数本の横桟１４及び連結機構１５等から構成されており、不使用時には格納箱１内に短縮状態で収納され、使用時には展開された格納箱１内から自重により伸長垂下状態になるように構成されている。この実施の形態に於いては、避難用梯子２には実用新案登録第３０６９０７１号公報に開示された避難用梯子２が使用されている。
【００２６】
即ち、避難用梯子２は、図５乃至図７に示す如く、横断面が同一の形状及び大きさに形成された複数枚の縦長板状の柱材１６を前後方向へ重ね合わせて長手方向へ摺動自在とした左右対称状の一対の伸縮柱体１３と、左右の伸縮柱体１３間に長手方向に沿って一定間隔毎に配設され、両端部が対向する左右の柱材１６の上端部に夫々取り付けられた複数本の横桟１４と、左右の伸縮柱体１３の各柱材１６を長手方向へ伸縮自在に連結すると共に、伸長状態になった伸縮柱体１３の各柱材１６が長手方向へ抜けるのを防止する連結機構１５等から構成されている。
【００２７】
具体的には、左右の伸縮柱体１３を形成する各柱材１６は、図６及び図１１に示す如く、横桟１４が取り付けられる鉛直姿勢の縦長板状の前側耳部１６ａと、前側耳部１６ａの一側端に後方へ傾斜する姿勢で連設された鉛直姿勢の縦長板状の傾斜部１６ｂと、傾斜部１６ｂの後端に連設され、前側耳部１６ａに平行な鉛直姿勢の縦長板状の後側耳部１６ｃとを備えた一定長さのアルミ合金製の押出し型材により形成されており、各柱材１６を前後方向へ重ね合わせたときに前側耳部１６ａ同士、傾斜部１６ｂ同士及び後側耳部１６ｃ同士が夫々重ね合わされると共に、各前側耳部１６ａの端面及び各後側耳部１６ｃの端面が夫々面一になるように構成されている。
【００２８】
各横桟１４は、アルミ合金製の角パイプを同一の長さに切断加工することにより形成されており、各横桟１４の上面には、滑り止め用の複数本の溝が横桟１４の長手方向に沿って形成されていると共に、各横桟１４の両端部には、横桟１４内へのごみの進入等を防止するプラスチック製のキャップ１７が嵌着されている。これらの横桟１４は、左右の伸縮柱体１３間に伸縮柱体１３の長手方向に沿って一定間隔毎に配設されており、一番後側に位置する柱材１６（最上段の柱材１６）を除くその他の各柱材１６の前側耳部１６ａの上端部前面と、一番前側に位置する柱材１６（最下段の柱材１６）の前側耳部１６ａの下端部前面とにボルト１８及びナット１９により夫々取り付けられている。
【００２９】
連結機構１５は、図６及び図１１に示す如く、各柱材１６（一番前側に位置する柱材１６を除く）の前側耳部１６ａに形成されたガイド孔１５ａと、各横桟１４（最下段の横桟１４を除く）の両端部及び各柱材１６（一番後側に位置する柱材１６を除く）の前側耳部１６ａに前面側から挿通支持され、先端部が前後に隣接する柱材１６の後側の柱材１６のガイド孔１５ａに遊嵌状態で挿通された複数本のボルト１５ｂと、各ボルト１５ｂの先端部に螺着され、ボルト１５ｂを抜け止めすると共に柱材１６のガイド孔１５ａに沿って摺動自在な複数個の丸ナット１５ｃとから構成されている。
【００３０】
尚、図６及び図１１に於いて、２０は各伸縮柱体１３の最上段の柱材１６の上端部に取り付けられた支持ケース、２１は最上段の柱材１６及び支持ケース２０に取り付けられた梯子吊り下げ金具、２２は対向する各柱材１６の後側耳部１６ｃの下端部に固定された細長い帯状の金属板により形成された補強片、２３は各柱材１６（一番後側に位置する柱材１６を除く）の後側耳部１６ｃの上端部に取り付けられ、直ぐ後側に位置する柱材１６の後側耳部１６ｃに摺動自在に係止される係止片である。
【００３１】
そして、前記避難用梯子２には、避難用梯子２の伸長降下速度を緩和すると共に、伸長状態の避難用梯子２を短縮状態にする緩降・収納装置２５が設けられており、この緩降・収納装置２５には、従来公知のものが使用されている。この実施の形態に於いては、緩降・収納装置２５には、実公平４−２０４５６号公報の第１図乃至第４図に開示された緩降装置や実公昭６０−１１２８０号公報の第７図及び第８図に開示された緩降装置、実公平６−１６１５９号公報の第４図及び第５図に開示された緩降装置が使用されている。
この緩降・収納装置２５によれば、避難用梯子２が短縮状態のときに緩降・収納装置２５の操作レバー２５ａを押すと、避難用梯子２の短縮保持状態が解除されて避難用梯子２が自重により伸長降下すると共に、そのときの伸長降下速度が緩和されるようになっている。又、緩降・収納装置２５の回転軸２５ｂにハンドル（図示省略）を嵌合し、ハンドルにより回転軸２５ｂ及びリール（図示省略）を回すと、リールにワイヤロープ２５ｃが巻き取られ、これに伴って避難用梯子２が順次短縮して行くようになっている。
【００３２】
又、避難用梯子２は、格納箱１の後壁３ａの前面側に吊り下げ金具８のアンカーボルト８ｂ等により略鉛直姿勢で固定されている。このとき、避難用梯子２は、格納箱１の後壁３ａに設けたＣ型チャンネル材１１により若干傾斜する姿勢で後壁３ａに取り付けられており、避難用梯子２が伸長垂下状態になったときにこれに若干の傾斜角度を与え、避難者が降下し易いように工夫されている。
【００３３】
次に、火災等の緊急避難時に前記避難梯子装置を用いて避難する場合について説明する。
先ず、避難者は、火災等の緊急避難時に避難梯子装置が設置されている窓の近くまで行き、格納箱１の蓋体４の取っ手４ｃをしっかり握り、蓋体４を真上に持ち上げて室内に取り込む。蓋体４を本体３に対して一定量持ち上げると、開閉機構７により閉鎖位置に保持されていた左右の底壁３ｃが自重により閉鎖位置から開放位置へ開放される（図４参照）。又、蓋体４が本体３から外れた時点で左右の側壁３ｂがスプリング蝶番５（附勢手段）により閉鎖位置から開放位置へ水平回動する（図５参照）。これによって、本体３は、同一平面状に展開された状態となり、建物の外壁面Ｗに沿う姿勢となる。
【００３４】
次に、避難者は、階下に人がいないことを確認してから、緩降・収納装置２５の操作レバー２５ａを押す。そうすると、避難用梯子２の短縮保持状態が解除され、避難用梯子２が自重により伸長降下して略伸長垂下状態となる（図６及び図７参照）。このとき、避難用梯子２は、緩降・収納装置２５よりその伸長降下速度が緩和されるため、伸長降下時に衝撃荷重を受けると云うことがなく、良好且つ円滑に伸長することになる。
【００３５】
避難用梯子２が建物の外壁面Ｗに沿って完全に伸長垂下状態になったら、避難者は避難用梯子２の横桟１４に手足を掛け、横桟１４を握りながら避難用梯子２を伝って高所から地上へ避難する。
このとき、格納箱１の本体３が展開されて建物の外壁面Ｗに沿う姿勢となっているため、避難者が室内から避難用梯子２に乗り移る際や避難者が避難用梯子２を伝って降下する際に格納箱１が邪魔になったり、或いは格納箱１により視界が遮られたりすると云うことがなく、避難者が避難を円滑且つスムースに行えることになる。
又、避難梯子装置が避難経路である窓の近傍等に予め設置されているため、火災等の避難時に避難者が避難梯子装置を持ち運んでセットしたりする必要がなく、迅速に避難することができる。
【００３６】
尚、上記実施の形態に於いては、避難梯子装置を建物の窓近傍の外壁面Ｗに設置するようにしたが、他の実施の形態に於いては、避難梯子装置を建物の屋上の外壁面Ｗやベランダの外壁面Ｗ、ベランダの手摺り等に設置するようにしても良い。
【００３７】
上記実施の形態に於いては、左右の側壁３ｂの下端部に底壁３ｃを夫々上下回動自在に連結し、左右の底壁３ｃで格納箱１の下面側開口を開閉するようにしたが、他の実施の形態に於いては、左右の側壁３ｂの何れか一方の側壁３ｂの下端部に底壁３ｃを上下回動自在に連結し、一枚の底壁３ｃで格納箱１の下面側開口を開閉するようにしても良い。この場合には、開閉機構７の一方のワイヤロープ７ａ等を省略することができる。
【００３８】
上記実施の形態に於いては、左右の側壁３ｂを建物の外壁面Ｗに沿うように附勢保持する附勢手段５にスプリング蝶番５を使用するようにしたが、他の実施の形態に於いては、左右の側壁３ｂを平蝶番６を介して後壁３ａに水平回動自在に連結し、後壁３ａと左右の側壁３ｂとの間に別のコイルスプリング（図示省略）を介設して左右の側壁３ｂを開放位置へ附勢保持するようにしても良い。
【００３９】
上記実施の形態に於いては、避難用梯子２には実用新案登録第３０６９０７１号公報に開示された避難用梯子２を使用するようにしたが、格納箱１内に収納する避難用梯子２は上記のものに限定されるものではなく、例えば特許２００１−２６２７９６に開示された構造の避難用梯子２を格納箱１内に収納するようにしても良い。
【００４０】
【発明の効果】
上述の通り、本発明の避難梯子装置は、避難用梯子を収納する格納箱が、少なくとも前面が開放された展開可能な箱状の本体と、本体に着脱自在に取り付けられて本体の開口を開閉可能に覆う蓋体とから成り、蓋体を本体から取り外したときに箱状の本体が建物の外壁面に沿う姿勢で展開されるように構成されているため、火災等の緊急避難時に開放された格納箱が避難経路を塞ぐと云うことがなく、伸長垂下状態になった避難用梯子の上端部周囲が完全に開放された状態になる。その結果、避難者が室内から避難用梯子に乗り移る際や避難者が避難用梯子を伝って降下する際に格納箱が邪魔になったり、或いは格納箱により視界が遮られたりすると云うことがなく、避難者が避難を円滑且つスムースに行えることになる。
本発明の避難梯子装置は、本体の後壁と左右の側壁との間に左右の側壁を建物の外壁面に沿うように附勢保持する附勢手段を設け、又、格納箱に蓋体の取り外し及び取り付けに連動して底壁を開閉する開閉機構を設けているため、火災等の避難時に避難者が蓋体を持ち上げて本体から取り外すだけで本体が自動的に展開されて建物の外壁面に沿う姿勢となり、取扱性や操作性に優れたものとなる。然も、左右の側壁が附勢手段により建物の外壁面に沿うように附勢保持されているため、本体が展開状態にあるときに強風が吹いても、左右の側壁が風にあおられて閉じる方向へ回動したりすると云うことがなく、本体は展開された状態で確実且つ良好に保持されることになり、避難者が避難する際に邪魔になると云うことがない。
【図面の簡単な説明】
【図１】本発明の実施の形態に係る避難梯子装置を建物の窓近傍の外壁面に設置した状態の縦断面図である。
【図２】本発明の実施の形態に係る避難梯子装置を示し、（Ａ）は避難梯子装置の正面図、（Ｂ）は避難梯子装置の側面図である。
【図３】避難梯子装置の格納箱の斜視図である。
【図４】避難梯子装置の格納箱の蓋体を少し持ち上げた状態を示し、（Ａ）は避難梯子装置の正面図、（Ｂ）は避難梯子装置の側面図である。
【図５】格納箱の蓋体を本体から取り外し、本体が展開した状態の避難梯子装置の正面図である。
【図６】格納箱の本体が展開し、避難用梯子が伸長した状態の正面図である。
【図７】格納箱の本体が展開し、避難用梯子が伸長した状態の側面図である。
【図８】格納箱の開閉機構部分を示す部分正面図である。
【図９】格納箱の開閉機構部分を示す横断面図である。
【図１０】格納箱の開閉機構部分を示し、底壁が開放された状態の部分正面図である。
【図１１】避難用梯子の拡大横断面図である。
【図１２】従来の避難梯子装置を建物の窓近傍の外壁面に設置した状態の縦断面図である。
【図１３】従来の避難梯子装置を示し、（Ａ）は避難梯子装置の正面図、（Ｂ）は避難梯子装置の左側面図、（Ｃ）は避難梯子装置の右側面図である。
【図１４】従来の避難梯子装置の格納箱が開いた状態の平面図である。
【符号の説明】
１は格納箱、２は避難用梯子、３は本体、３ａは後壁、３ｂは側壁、３ｃは底壁、４は蓋体、４ａは前壁、４ｂは天井壁、５はスプリング蝶番（附勢手段）、７は開閉機構、Ｗは建物の外壁面。
【図１】
2004113372.tif 000003
【図２】
2004113372.tif 000004
【図３】
2004113372.tif 000005
【図４】
2004113372.tif 000006
【図５】
2004113372.tif 000007
【図６】
2004113372.tif 000008
【図７】
2004113372.tif 000009
【図８】
2004113372.tif 000010
【図９】
2004113372.tif 000011
【図１０】
2004113372.tif 000012
【図１１】
2004113372.tif 000013
【図１２】
2004113372.tif 000014
【図１３】
2004113372.tif 000015
【図１４】
2004113372.tif 000016